(57)【特許請求の範囲】
【請求項１】
原稿押さえが所定角度まで倒される直前付近において、露光ランプがオフの状態で、画像読み取りセンサから画像データを取り込み、取り込んだ画像データを第１の画像データとして記憶する手段、
原稿押さえが所定角度まで倒されたときに、露光ランプをオンさせるとともに画像読み取りセンサから画像データを取り込み、取り込んだ画像データを第２の画像データとして記憶する手段、および
第１の画像データと第２の画像データとに基づいて、原稿の幅方向の長さを測定する測定手段、
を備えている画像形成装置。
【請求項２】
原稿押さえが開いておりかつ露光ランプがオフの状態において、画像読み取りセンサから画像データを所定時間間隔で取込んでいき、原稿押さえが開いている状態で原稿画像読み込み開始信号が入力された場合には、原稿画像読み込み開始信号が入力される直前に取り込まれた画像データを第１の画像データとして記憶する手段、
原稿画像読み込み開始信号が入力されたときに、露光ランプをオンさせるとともに画像読み取りセンサから画像データを取り込み、取り込んだ画像データを第２の画像データとして記憶する手段、および
第１の画像データと第２の画像データとに基づいて、原稿の幅方向の長さを測定する測定手段、
を備えている画像形成装置。
【請求項３】
測定手段は、画像読み取りセンサの受光領域のうち、第１の画像データと第２の画像データとの間で、データ値が白黒反転している領域を、原稿画像領域であると判定して、原稿の幅方向の長さを測定するものである請求項１および２のいずれかに記載の画像形成装置。
【請求項４】
測定手段は、画像読み取りセンサの受光領域のうち、光が入射していないことを第１の画像データが表している領域であって、光が入射していることを第２の画像データが表している領域を、原稿画像領域であると判定して、原稿の幅方向の長さを測定するものである請求項１および２のいずれかに記載の画像形成装置の原稿サイズ検出装置。
【請求項５】
原稿押さえが所定角度まで倒される直前付近において、露光ランプがオフの状態で、画像読み取りセンサから所定時間間隔で画像データを取り込み、画像データを取り込む毎に取り込んだ画像データを第１画像データとして記憶するとともに前回取り込んだ画像データを第３の画像データとして記憶する手段、
原稿押さえが所定角度まで倒されたときに、露光ランプをオンさせるとともに画像読み取りセンサから画像データを取り込み、取り込んだ画像データを第２の画像データとして記憶する手段、および
画像読み取りセンサの受光領域のうち、光が入射していないことを第１の画像データおよび第３の画像データの両方が表している領域であって、光が入射していることを第２の画像データが表している領域を、原稿画像領域であると判定して、原稿の幅方向の長さを測定する測定手段、
を備えている画像形成装置。
【請求項６】
原稿押さえが開いておりかつ露光ランプがオフの状態において、画像読み取りセンサから画像データを所定時間間隔で取込んでいき、画像データを取り込む毎に取り込んだ画像データを第１画像データとして記憶するとともに前回取り込んだ画像データを第３の画像データとして記憶する手段、
原稿押さえが開いている状態で原稿画像読み込み開始信号が入力された場合には、原稿画像読み込み開始信号が入力されたときに、露光ランプをオンさせるとともに画像読み取りセンサから画像データを取り込み、取り込んだ画像データを第２の画像データとして記憶する手段、および
画像読み取りセンサの受光領域のうち、光が入射していないことを第１の画像データおよび第３の画像データの両方が表している領域であって、光が入射していることを第２の画像データが表している領域を、原稿画像領域であると判定して、原稿の幅方向の長さを測定する測定手段、
を備えている画像形成装置。
【請求項７】
露光ランプがオフの状態で、画像読み取りセンサから画像データを取り込む時間間隔Ｔは、商用周波数をｆ〔Ｈｚ〕、ｎを自然数、αを１から９までの実数とすると、次式１によって決定される請求項５および６のいずれかに記載の画像形成装置。
【数１】
0003550518.tif 000004
【発明の詳細な説明】
【０００１】
【産業上の利用分野】
この発明は、複写機、ファクシミリ装置等の画像形成装置における原稿サイズ検出装置に関する。
【０００２】
【従来の技術】
複写機、ファクシミリ装置等の画像形成装置においては、原稿をコンタクトガラス上にセットした後、原稿押さえを閉める際に、セットされた原稿のサイズを検出している。つまり、原稿押さえが完全に閉められる直前の所定角度まで倒されたときに、露光ランプが点灯せしめられ、その反射光に基づいて原稿の幅方向の長さを検出している。原稿が存在する箇所においては露光ランプから出射された光が原稿によって反射され、原稿が存在しない箇所においては露光ランプから出射された光は反射されない。したがって、反射光の有無をＣＣＤ等の画像読み取りセンサによって検出することによって、原稿の幅方向の長さを検出することができる。
【０００３】
原稿押さえが完全に閉められる直前に露光ランプを点灯させて、原稿の幅方向の長さを検出しているのは、次のような理由による。つまり、原稿押さえが開いているときには、ユーザが原稿をセットしている途中であるかもしれないので、原稿が正しくセットされているか不明なので、原稿サイズを正確に検出することができない上に、原稿押さえが開けられているときに露光ランプを点灯させるとユーザにとって眩しくて、原稿のセットを行いにくくなる。
【０００４】
また、原稿押さえが完全に閉められた後に露光ランプを点灯させると、露光ランプから出射された光が、原稿が存在しない部分においても原稿押さえに形成されているマットに反射され、原稿からの反射光として検出されてしまい、正確な原稿サイズの検出が行なえなくなる。
【０００５】
なお、原稿の縦方向の長さは、反射型センサによって検出されている。
【０００６】
【発明が解決しようとする課題】
従来では、上述したように、原稿押さえが完全に閉められる直前に露光ランプを点灯させて原稿の幅方向の長さを検出しているため、原稿押さえとコンタクトガラスの隙間から外部の光が侵入した場合には、侵入した外部の光を原稿からの反射光として検出してしまい、原稿サイズを正確に検出できないという問題がある。
【０００７】
図６は、従来の原稿サイズ検出方法を模式的に示したものである。図６では、原稿からの反射光が集光レンズ２５に直接入射するように描かれているが、実際は原稿からの反射光は複数の反射ミラーを介して集光レンズ２５に入射する。
【０００８】
図６（ａ）は、Ａ４横（幅２９７ｍｍ）の原稿Ｓ１からの反射光が集光レンズ２５を介してＣＣＤ２６に入射された様子を示している。原稿の周縁部は白地であることが多いので、ＣＣＤ２６によって得られた画像データが、黒から白に変化した箇所を原稿の縁として原稿サイズを検出する。この場合の原稿サイズは、画像データＤ上でＬ１となる。
【０００９】
図６（ｂ）は、Ａ４縦（幅２１０ｍｍ）の原稿Ｓ２からの反射光が集光レンズ２５を介してＣＣＤ２６に入射された様子を示している。この場合の原稿サイズは、画像データＤ上でＬ２となる。
【００１０】
図６（ｃ）は、原稿押さえが所定角度まで倒されて露光ランプがオンされたときに、Ａ４縦（幅２１０ｍｍ）の原稿Ｓ２からの反射光とともに、照明等の光源１００からの外部光が集光レンズ２５を介してＣＣＤ２６に入射された様子を示している。この場合には、光源１００からの外部光がＣＣＤ２６に入射した箇所に対応する画像データが白となるため、画像データＤ上での原稿サイズは本来のＬ１ではなくＬ３となってしまう。つまり、原稿サイズが誤検出されてしまう。
【００１１】
この発明は、正確に原稿サイズを検出することができる画像形成装置を提供することを目的とする。
【００１２】
【課題を解決するための手段】
この発明による第１の画像形成装置は、原稿押さえが所定角度まで倒される直前付近において、露光ランプがオフの状態で、画像読み取りセンサから画像データを取り込み、取り込んだ画像データを第１の画像データとして記憶する手段、原稿押さえが所定角度まで倒されたときに、露光ランプをオンさせるとともに画像読み取りセンサから画像データを取り込み、取り込んだ画像データを第２の画像データとして記憶する手段、および第１の画像データと第２の画像データとに基づいて、原稿の幅方向の長さを測定する測定手段を備えていることを特徴とする。
【００１３】
この発明による第２の画像形成装置は、原稿押さえが開いておりかつ露光ランプがオフの状態において、画像読み取りセンサから画像データを所定時間間隔で取込んでいき、原稿押さえが開いている状態で原稿画像読み込み開始信号が入力された場合には、原稿画像読み込み開始信号が入力される直前に取り込まれた画像データを第１の画像データとして記憶する手段、原稿画像読み込み開始信号が入力されたときに、露光ランプをオンさせるとともに画像読み取りセンサから画像データを取り込み、取り込んだ画像データを第２の画像データとして記憶する手段、および第１の画像データと第２の画像データとに基づいて、原稿の幅方向の長さを測定する測定手段を備えていることを特徴とする。
【００１４】
測定手段としては、たとえば、画像読み取りセンサの受光領域のうち、第１の画像データと第２の画像データとの間で、データ値が白黒反転している領域を、原稿画像領域であると判定して、原稿の幅方向の長さを測定するものが用いられる。
【００１５】
測定手段としては、たとえば、画像読み取りセンサの受光領域のうち、光が入射していないことを第１の画像データが表している領域であって、光が入射していることを第２の画像データが表している領域を、原稿画像領域であると判定して、原稿の幅方向の長さを測定するものが用いられる。
【００１６】
この発明による第３の画像形成装置は、原稿押さえが所定角度まで倒される直前付近において、露光ランプがオフの状態で、画像読み取りセンサから所定時間間隔で画像データを取り込み、画像データを取り込む毎に取り込んだ画像データを第１画像データとして記憶するとともに前回取り込んだ画像データを第３の画像データとして記憶する手段、原稿押さえが所定角度まで倒されたときに、露光ランプをオンさせるとともに画像読み取りセンサから画像データを取り込み、取り込んだ画像データを第２の画像データとして記憶する手段、および画像読み取りセンサの受光領域のうち、光が入射していないことを第１の画像データおよび第３の画像データの両方が表している領域であって、光が入射していることを第２の画像データが表している領域を、原稿画像領域であると判定して、原稿の幅方向の長さを測定する測定手段を備えていることを特徴とする。
【００１７】
この発明による第４の画像形成装置は、原稿押さえが開いておりかつ露光ランプがオフの状態において、画像読み取りセンサから画像データを所定時間間隔で取込んでいき、画像データを取り込む毎に取り込んだ画像データを第１画像データとして記憶するとともに前回取り込んだ画像データを第３の画像データとして記憶する手段、原稿押さえが開いている状態で原稿画像読み込み開始信号が入力された場合には、原稿画像読み込み開始信号が入力されたときに、露光ランプをオンさせるとともに画像読み取りセンサから画像データを取り込み、取り込んだ画像データを第２の画像データとして記憶する手段、および画像読み取りセンサの受光領域のうち、光が入射していないことを第１の画像データおよび第３の画像データの両方が表している領域であって、光が入射していることを第２の画像データが表している領域を、原稿画像領域であると判定して、原稿の幅方向の長さを測定する測定手段を備えていることを特徴とする。
【００１８】
露光ランプがオフの状態で、画像読み取りセンサから画像データを取り込む時間間隔Ｔは、商用周波数をｆ〔Ｈｚ〕、ｎを自然数、αを１から９までの実数とすると、たとえば、次式２によって決定される。
【００１９】
【数２】
0003550518.tif 000002
【００２０】
【発明の実施の形態】
以下、図面を参照して、この発明を複写機に適用した場合の実施の形態について説明する。
【００２１】
図１は、複写機の構成を示している。
【００２２】
複写機本体の上面には、複写すべき原稿（複写原稿）が載置されるコンタクトガラス１が設けられている。また、複写機本体の上面には、操作表示部４２が設けられている。また、複写機本体の上面には、原稿押さえ４１が開閉自在に設けられている。複写機本体の一側面側には、給紙カセット２が設けられている。複写機本体内には、露光機構、プリント機構および記録紙搬送機構が設けられている。
【００２３】
露光機構は、図１および図２に示すように、コンタクトガラス１上に載置された原稿（図示略）の画像を露光走査するための露光ランプ２１および原稿からの反射光を反射する第１ミラー２２を備えた第１光学系走行体３１、第１ミラー２２によって反射された光を集光レンズ２５に導くための第２および第３ミラー２３、２４を備えた第２光学系走行体３２、集光レンズ２５によって得られた光情報を電気信号に変換するためのＣＣＤ２６、ＣＣＤ２６によって得られた画像情報等が入力される制御ユニット２７ならびに制御ユニット２７からの信号を光信号（レーザ光）に変換するレーザユニット２８を備えている。レーザユニット２８から出力されるレーザ光は、感光体ドラム１１に照射される。
【００２４】
第１光学系走行体３１および第２光学系走行体３２は、原稿全体を走査する際には、図示しないスキャンモータによって、左右方向に往復動される。第２光学系走行体３２は、第１光学系走行体３１の速度の１／２の速度で、第１光学系走行体３１の移動距離の１／２の距離を移動する。
【００２５】
制御ユニット２７には、ＣＣＤ２６によって得られた画像情報の他、操作表示部４２からの信号等が入力される。制御ユニット２７は、複写機全体の制御を行う他、複写原稿に対するＣＣＤ２６の出力（画像情報）に基づいて画像形成を行うための信号を生成してレーザユニット２８に制御信号を出力する機能を備えている。
【００２６】
プリント機構は、感光体ドラム１１を備えている。感光体ドラム１１は、図示しないメインモータによって矢印の方向に回転駆動される。感光体ドラム１１の周囲には、その回転方向の順に、感光体ドラム１１の表面の感光層を帯電させる帯電器１２、感光層上に形成された静電潜像をトナー顕像として顕像化する現像装置１３、感光層上に形成されたトナー顕像を記録紙に転写する転写用放電器１４、感光体ドラム１１から記録紙を分離するための分離用放電器１５、転写後の感光体ドラム１１上に残留しているトナーを除去するクリーニング装置１６および感光体ドラム１１表面の電荷を除去する除電器１７が配されている。
【００２７】
記録紙搬送機構は、給紙カセット２内の記録紙を給紙する給紙ローラ３６、給紙ローラ３６によって送られてきた記録紙を所定のタイミングで感光体ドラム１１に搬送するためのレジストローラ３７および感光体ドラム１１上に形成されたトナー顕像が転写されかつ感光体ドラム１１から剥離された記録紙を定着ローラ３９まで搬送する搬送ベルト３８を備えている。定着ローラ３９によって定着処理が施された転写紙は、図示しない排出機構を介して排出トレイ４３上に送られる。
【００２８】
以下、コンタクトガラス１上にセットされた原稿の幅方向の長さを検出する方法について説明する。
【００２９】
〔１〕第１の実施の形態の説明
【００３０】
原稿がコンタクトガラス１上にセットされた後、原稿押さえ４１が開いているときから原稿押さえ４１が所定角度まで倒されるまでの露光ランプ２１がオフの状態において、ＣＣＤ２６の画像データを所定時間間隔（たとえば、５００ｍｓ）で取り込んで第１画像データとして記憶する。第１画像データは、新しい画像データが取り込まれる毎に新しい画像データに更新される。
【００３１】
原稿押さえ４１が所定角度まで倒されたときに、露光ランプ２１をオンさせ、その時のＣＣＤ２６の画像データを取り込んで第２画像データとして記憶する。原稿押さえ４１が所定角度まで倒されたことは、たとえば、リミットスイッチによって検出される。
【００３２】
第１画像データと第２画像データとを比較し、データが変化している領域を原稿画像領域であると判定して、原稿の幅方向の長さを測定する。
【００３３】
図３は、第１の実施の形態による原稿サイズ検出方法を模式的に示したものである。図３では、原稿からの反射光が集光レンズ２５に直接入射するように描かれているが、実際は原稿からの反射光は第１〜第３ミラー２２、２３、２４を介して集光レンズ２５に入射する。
【００３４】
図３（ａ）は、Ａ４横（幅２９７ｍｍ）の原稿Ｓ１がコンタクトガラス１上にセットされた場合の、第１画像データＤ１（最終値）と、第２画像データＤ２とを示している。
【００３５】
原稿押さえ４１が所定角度まで倒される直前において、外部からの光がＣＣＤ２６に入射していないとすると、第１画像データＤ１は全て黒データとなる。一方、第２画像データＤ２の取込み時においては、露光ランプ２１から出射された光が原稿Ｓ１によって反射されてＣＣＤ２６に入射するため、反射光が入射した部分のデータは白データとなる。したがって、第２画像データＤ２の取込み時に原稿からの反射光がＣＣＤ２６に入射する領域のデータは、黒データ（第１画像データ）から白データ（第２画像データ）に変化するため、原稿サイズは、画像データ上でＬ１と判定される。
【００３６】
図３（ｂ）は、Ａ４縦（幅２１０ｍｍ）の原稿Ｓ２がコンタクトガラス１上にセットされた場合の、第１画像データＤ１と、第２画像データＤ２とを示している。この場合にも、第２画像データＤ２の取込み時に原稿からの反射光がＣＣＤ２６に入射する領域のデータは、黒データ（第１画像データ）から白データ（第２画像データ）に変化するため、原稿サイズは、画像データ上でＬ２と判定される。
【００３７】
図３（ｃ）は、原稿押さえ４１が所定角度まで倒されたときにおいても、照明等の光源１００からの外部光がＣＣＤ２６に入射される場合における第１画像データＤ１と、第２画像データＤ２とを示している。
【００３８】
この場合には、最終の第１画像Ｄ１の取込み時には、光源１００からの外部光がＣＣＤ２６に入射されているので、第１画像データＤ１においては、光源１００からの外部光がＣＣＤ２６に入射している部分のみが白データとなり、その他の部分は黒データとなる。
【００３９】
第２画像Ｄ２の取込み時においても、光源１００からの外部光がＣＣＤ２６に入射されているので、第２画像データＤ２においては、原稿からの反射光がＣＣＤ２６に入射している部分と、光源１００からの外部光がＣＣＤ２６に入射している部分とが白データとなり、その他の部分は黒データとなる。
【００４０】
したがって、第１画像データＤ１と第２画像データＤ２とを比較すると、光源１００からの外部光がＣＣＤ２６に入射している部分は白データのままであり、第２画像データＤ２の取込み時に原稿からの反射光がＣＣＤ２６に入射する領域のデータは黒データ（第１画像データ）から白データ（第２画像データ）に変化するため、原稿サイズは、画像データ上でＬ２と判定される。つまり、光源１００からの外部光がＣＣＤ２６に入射されている部分を原稿からの反射光が入射した部分と誤って検出するといったことが回避される。
【００４１】
なお、たとえば、本の所定ページをコピーするような場合には、原稿押さえ４１が開かれた状態で本をセットした後、原稿押さえ４１が開かれた状態のままスタートキーが押される（原稿画像読み取り開始信号が入力される）ことがある。このような場合には、第１画像データと第２画像データとを次のようにして取得すればよい。
【００４２】
すなわち、原稿押さえが開いておりかつ露光ランプがオフの状態において、ＣＣＤ２６の画像データを所定時間間隔で取込んでいき、原稿押さえが開いている状態で原稿画像読み込み開始信号が入力された場合には、原稿画像読み込み開始信号が入力される直前に取り込まれた画像データを第１の画像データとして記憶する。そして、原稿画像読み込み開始信号が入力されたときに、露光ランプをオンさせるとともにＣＣＤ２６の画像データを取り込み、取り込んだ画像データを第２の画像データとして記憶する。
【００４３】
〔２〕第２の実施の形態の説明
【００４４】
ところで、上記第１の実施の形態では、第１画像データＤ１を取り込む際の原稿押さえ４１の傾き角度と、第２画像データＤ２を取り込む際の原稿押さえ４１の傾き角度とが若干異なっている。したがって、第１画像データＤ１を取り込む際に外部光がＣＣＤ２６に入射し、第２画像データＤ２を取り込む際に外部光が原稿押さえ４１によって遮断されてＣＣＤ２６に入射しなくなったような場合には、その部分では画像データが第１画像データＤ１と第２画像データＤ２との間で白データから黒データに変化するため、その部分を原稿が存在する部分であると誤検出してしまうという問題がある。
【００４５】
そこで、第２の実施の形態では、第１画像データＤ１のうちの白データの領域は、原稿が存在しないために外部光が入射された部分であると判定し、第１画像データＤ１の黒データの領域のうち、第２画像データＤ２が白データである領域を原稿画像領域であると判定する。
【００４６】
図４は、第１画像データＤ１を取り込む際に光源１００からの外部光がＣＣＤ２６に入射し、第２画像データＤ２を取り込む際に光源１００からの外部光が原稿押さえ４１によって遮断されてＣＣＤ２６に入射しなくなったような場合の第１画像データＤ１および第２画像データＤ２を示している。
【００４７】
第１画像データＤ１を取り込む際には光源１００からの外部光がＣＣＤ２６に入射しているため、第１画像データＤ１においては、光源１００からの外部光がＣＣＤ２６に入射している部分のみが白データとなり、その他の部分は黒データとなる。
【００４８】
第２画像Ｄ２の取込み時においては、光源１００からの外部光がＣＣＤ２６に入射していないので、第２画像データＤ２においては、原稿からの反射光がＣＣＤ２６に入射している部分が白データとなり、その他の部分は黒データとなる。
【００４９】
そして、第１画像データＤ１の黒データの領域のうち、第２画像データＤ２が白データである領域Ｌ２を原稿画像領域であると判定する。したがって、第１画像データＤ１を取り込む際に外部光がＣＣＤ２６に入射し、第２画像データＤ２を取り込む際に外部光が原稿押さえ４１によって遮断されてＣＣＤ２６に入射しなくなったような場合にも、正確に原稿サイズを検出することができるようになる。
【００５０】
〔３〕第３の実施の形態の説明
【００５１】
ところで、上記第２の実施の形態では、外部光として、自然光、白熱電球の光、インバータ制御の蛍光灯のような連続的な光を想定していた。しかしながら、商用周波数（５０Ｈｚまたは６０Ｈｚ）で発光している蛍光灯では、商用周波数の２倍の周波数に応じた周期（１０ｍｓまたは８．３ｍｓ）で、蛍光灯が消えている瞬間が現れる。
【００５２】
第１画像データＤ１の取り込む時と蛍光灯が消えているタイミングとがたまたま一致すると、外部光が存在するにもかかわらず、第１画像データＤ１に外部光の影響が現れなくなる。この後、蛍光灯が点灯されているタイミングで、第２画像データが取り込まれると、蛍光灯からの光を原稿からの反射光であると検出し、原稿サイズを誤検出してしまう。
【００５３】
そこで、第３の実施の形態では、露光ランプ２１がオフの状態において、ＣＣＤ２６から第１画像データＤ１を取り込む毎に、最新に取り込んだ第１画像データＤ１を第１画像データＤ１として記憶し、前回取り込んだ第１画像データＤ１を、第３画像データＤ３として記憶する。
【００５４】
また、第１画像データＤ１の取込み間隔は、連続する２回のデータ取込み時点のうち、一方のデータ取込み時点が蛍光灯が消えているタイミングとたとえ一致したとしても、他方のデータ取込み時点が蛍光灯が消えているタイミングと一致しないように設定される。つまり、第１画像データＤ１の取込み間隔は、蛍光灯の点滅間隔（１０ｍｓまたは８．３ｍｓ）の倍数とならない間隔に設定される。
【００５５】
具体的には、第１画像データＤ１の取込み間隔をＴ、商用周波数をｆ〔Ｈｚ〕、ｎを自然数、αを１から９までの実数とすると、第１画像データＤ１の取込み間隔Ｔは、次式３で表される。
【００５６】
【数３】
0003550518.tif 000003
【００５７】
商用周波数を５０〔Ｈｚ〕とし、たとえば、ｎ＝２４、α＝５．０とすると、Ｔ＝２４５ｍｓとなる。また、商用周波数を６０〔Ｈｚ〕とし、たとえば、ｎ＝２９、α＝４．０とすると、Ｔ＝２４５ｍｓとなる。そこで、第１画像データＤ１の取込み間隔Ｔは、たとえば、２４５ｍｓに設定される。
【００５８】
露光ランプ２１がオフの間において、第１画像データＤ１および第３画像データＤ３を得る。また、原稿押さえ４１が所定角度まで倒されたときに、露光ランプ２１をオンさせて、第２画像データＤ２を得る。
【００５９】
そして、第１画像データＤ１および第３画像データＤ３のうち少なくとも一方が白データである領域は、原稿が存在しないために外部光が入射された部分であると判定し、第１画像データＤ１および第３画像データＤ３が共に黒データである領域のうち、第２画像データＤ２が白データである領域を原稿画像領域であると判定する。
【００６０】
図５は、原稿押さえ４１が所定角度まで倒されたときにおいても、商用周波数（５０Ｈｚまたは６０Ｈｚ）で発光している蛍光灯２００からの外部光がＣＣＤ２６に入射される場合の、第１画像データＤ１、第３画像データＤ３および第２画像データＤ２を示している。
【００６１】
この場合には、第３画像データＤ３が取り込まれた時点および第１画像データＤ１が取込まれた時点のうち、少なくとも一方の時点においては、蛍光灯２００からの外部光がＣＣＤ２６に入射される。この例では、第３画像データＤ３が取り込まれた時点において蛍光灯２００からの外部光がＣＣＤ２６に入射され、蛍光灯２００が消えているタイミングで第１画像データＤ１が取込まれたとする。また、蛍光灯２００が点灯しているタイミングで第２画像データＤ２が取込まれたとする。
【００６２】
第３画像データＤ３においては、蛍光灯２００からの外部光がＣＣＤ２６に入射している部分のみが白データとなり、その他の部分は黒データとなる。第１画像データＤ１においては、全て黒データとなる。
【００６３】
第２画像データＤ２においては、原稿からの反射光がＣＣＤ２６に入射している部分と、蛍光灯２００からの外部光がＣＣＤ２６に入射している部分とが白データとなり、その他の部分は黒データとなる。
【００６４】
そして、第３画像データＤ３と第１画像データＤ１との両方が黒データである領域のうち、第２画像データＤ２が白データである領域が、原稿画像領域であると判定される。つまり、原稿サイズは、Ｌ２であると判定される。
【００６５】
なお、第３画像データＤ３または第１画像データＤ１を取り込む際に蛍光灯２００からの外部光がＣＣＤ２６に入射し、第２画像データＤ２を取り込む際に蛍光灯２００からの外部光が原稿押さえ４１によって遮断されてＣＣＤ２６に入射しなくなったような場合においても、第３画像データＤ３と第１画像データＤ１との両方が黒データである領域のうち、第２画像データＤ２が白データである領域を、原稿画像領域であると判定することによって、原稿サイズを正確に検出することができる。
【００６６】
なお、たとえば、本の所定ページをコピーするような場合には、原稿押さえ４１が開かれた状態で本をセットした後、原稿押さえ４１が開かれた状態のままスタートキーが押される（原稿画像読み取り開始信号が入力される）ことがある。このような場合には、第３画像データと第１画像データと第２画像データとを次のようにして取得すればよい。
【００６７】
すなわち、原稿押さえが開いておりかつ露光ランプがオフの状態において、ＣＣＤ２６の画像データを所定時間間隔で取込んでいき、画像データを取り込む毎に最新に取り込んだ画像データを第１画像データとして記憶するとともに前回取り込んだ画像データを第３の画像データとして記憶する。そして、原稿押さえが開いている状態で原稿画像読み込み開始信号が入力された場合には、原稿画像読み込み開始信号が入力されたときに、露光ランプをオンさせるとともにＣＣＤ２６の画像データを取り込み、取り込んだ画像データを第２の画像データとして記憶する。
【００６８】
【発明の効果】
この発明によれば、正確に原稿サイズを検出することができるようになる。
【図面の簡単な説明】
【図１】複写機の概略構成を示す概略構成図である。
【図２】露光機構を示す斜視図である。
【図３】第１の実施の形態による原稿サイズ検出方法を説明するための模式図である。
【図４】第２の実施の形態による原稿サイズ検出方法を説明するための模式図である。
【図５】第３の実施の形態による原稿サイズ検出方法を説明するための模式図である。
【図６】従来の原稿サイズ検出方法を説明するための模式図である。
【符号の説明】
２１  露光ランプ
２２  第１ミラー
３１  第１光学系走行体
２３  第２ミラー
２４  第３ミラー
２５  集光レンズ
３２  第２光学系走行体
２６  ＣＣＤ
２７  制御ユニット
【図１】
0003550518.tif 000005
【図２】
0003550518.tif 000006
【図３】
0003550518.tif 000007
【図４】
0003550518.tif 000008
【図５】
0003550518.tif 000009
【図６】
0003550518.tif 000010